(57)【特許請求の範囲】
【請求項１】
カップ本体に、マドラーを収容した複合カップであって、前記カップ本体に水分を含む内容物を収容し、前記マドラーに前記カップ本体に収容する内容物と異なる内容物を収容し、前記カップ本体に収容した内容物のみを凍らせて販売する複合カップにおいて、前記マドラーは、筒状の収容部と複数の羽根部材と嵌合部とを有し、前記カップ本体は、底部分に嵌合部を有し、前記マドラーの嵌合部と前記カップ本体の嵌合部とが互いに嵌合することにより、前記マドラーと前記カップ本体との間の空間からなる収容部と、前記マドラーの収容部と、の異なる複数の収容部を形成するとともに、前記マドラーの前記羽根部材が前記カップ本体の内部形状に沿った形状を有しかつカップ本体に接することにより、前記マドラーと前記カップ本体との間の空間からなる収容部を、さらに複数の収容部分に区切ることを特徴とする、複合カップ。
【請求項２】
前記カップ本体の嵌合部と前記マドラーの嵌合部との前記嵌合を、開放することにより、前記複数の収容部が合わされて、１の収容部を形成することを特徴とする、請求項１記載の複合カップ。
【請求項３】
前記嵌合は、ネジ嵌合であることを特徴とする、請求項１または請求項２記載の複合カップ。
【請求項４】
前記カップ本体および前記マドラーの前記収容部を、密封するための、初期開封シールを形成したことを特徴とする、請求項１乃至３のいずれか１項に記載の複合カップ。
【発明の詳細な説明】
【技術分野】
【０００１】
本発明は、カップに異なる内容物を収容して、使用時において、これらの内容物を混合することが可能な、複合カップに関する。
【背景技術】
【０００２】
従来、主に店頭で販売されるアルコール類の種類としては、缶ビールや、ウィスキー、焼酎などがあり、特に、最近では、カクテルやチューハイ、さらには水割りされたウィスキーなど、その種類は多種におよぶ。しかしながら、ウィスキーやブランデー、リキュール類などは、通常、単独の内容物が瓶詰めの状態で販売されることが多く、例えばウィスキーを氷とともに（オンザロック）で楽しむときには、消費者がウィスキーを購入後において、グラスや氷を別途準備して、冷凍庫で保管した氷もしくは別途購入したロックアイスをグラスに入れて、このグラスにウィスキーを適量注ぎ、ウィスキーオンザロックを作る必要があった。
【０００３】
このため、外出先や新幹線、飛行機等での移動時においては、グラスや氷などを別途準備する必要があり、ウィスキーをオンザロックで手軽に楽しむことが困難である。また、新幹線や飛行機などで、ウィスキーオンザロックを販売、提供する際には、多くの手間を要してしまうという問題がある。
【発明の開示】
【発明が解決しようとする課題】
【０００４】
本発明は、上記課題を解決するためになされたものであり、異なる内容物を別々に収容し、使用時において簡単にこれらを混ぜ合わせることが可能な複合カップを提供することを課題とし、特に、場所を選ぶことなく、ウィスキーをオンザロックで楽しむことを可能とすべく、別途氷やグラスを必要とせず、簡単な方法により、その場でウィスキーオンザロックを作ることが可能な、複合カップを提供するものである。さらには、使いやすいばかりでなく、面白さと斬新さを兼ね備えて、消費者に驚きと喜びとを与えることが可能な、新しい形態の複合カップを提供することを課題とする。
【課題を解決するための手段】
【０００５】
そこで、上記課題を解決するため、本発明の請求項１記載の発明は、カップ本体に、マドラーを収容した複合カップであって、前記カップ本体に水分を含む内容物を収容し、前記マドラーに前記カップ本体に収容する内容物と異なる内容物を収容し、前記カップ本体に収容した内容物のみを凍らせて販売する複合カップにおいて、前記マドラーは、筒状の収容部と複数の羽根部材と嵌合部とを有し、前記カップ本体は、底部分に嵌合部を有し、前記マドラーの嵌合部と前記カップ本体の嵌合部とが互いに嵌合することにより、前記マドラーと前記カップ本体との間の空間からなる収容部と、前記マドラーの収容部と、の異なる複数の収容部を形成するとともに、前記マドラーの前記羽根部材が前記カップ本体の内部形状に沿った形状を有しかつカップ本体に接することにより、前記マドラーと前記カップ本体との間の空間からなる収容部を、さらに複数の収容部分に区切ることを特徴とする、複合カップである。
【０００６】
また、請求項２記載の発明は、前記カップ本体の嵌合部と前記マドラーの嵌合部との前記嵌合を、開放することにより、前記複数の収容部が合わされて、１の収容部を形成することを特徴とする、複合カップである。
【０００７】
また、請求項３記載の発明は、前記嵌合は、ネジ嵌合であることを特徴とする、複合カップである。
【０００９】
また、請求項４記載の発明は、前記カップ本体および前記マドラーの前記収容部を、密封するための、初期開封シールを形成したことを特徴とする、複合カップである。
【発明の効果】
【００１１】
本発明の請求項１記載の発明は、カップ本体に、マドラーを収容した複合カップであって、前記カップ本体に水分を含む内容物を収容し、前記マドラーに前記カップ本体に収容する内容物と異なる内容物を収容し、前記カップ本体に収容した内容物のみを凍らせて販売する複合カップにおいて、前記マドラーは、筒状の収容部と複数の羽根部材と嵌合部とを有し、前記カップ本体は、底部分に嵌合部を有し、前記マドラーの嵌合部と前記カップ本体の嵌合部とが互いに嵌合することにより、前記マドラーと前記カップ本体との間の空間からなる収容部と、前記マドラーの収容部と、の異なる複数の収容部を形成するとともに、前記マドラーの前記羽根部材が前記カップ本体の内部形状に沿った形状を有しかつカップ本体に接することにより、前記マドラーと前記カップ本体との間の空間からなる収容部を、さらに複数の収容部分に区切ることを特徴とするから、異なる内容物をそれぞれ別個に収容し、使用時においてこれらを混ぜ合わせることが可能な複合カップを提供することが可能である。また、例えば、カップ本体の内部に、複数個の氷等の内容物を収容或いは形成することが可能である。さらには、使用時において、面白さと斬新さとを兼ね備え、消費者に驚きと喜びとを与えることが可能な新しい形態のカップを提供することが可能である。
【００１２】
また、請求項２記載の発明は、前記カップ本体の嵌合部と前記マドラーの嵌合部との前記嵌合を、開放することにより、前記複数の収容部が合わされて、１の収容部を形成することを特徴とするから、異なる内容物をそれぞれ別個に収容し、使用時において、マドラーとカップ本体との嵌合部を開放することにより、これらを簡単に混ぜ合わせることが可能である。
【００１３】
また、請求項３記載の発明は、前記嵌合は、ネジ嵌合であることを特徴とするから、簡単な構成により、前記マドラーを前記カップ本体へと収容し固定することが可能である。また、マドラーを回転させることにより、ネジ嵌合のマドラーを取り外して収容部を形成するため、簡単に、マドラーを取り外すことが可能であり、さらには、マドラーの羽根部材を回転させつつ内容物を混ぜ合わせることが可能である。
【００１５】
また、請求項４記載の発明は、前記カップ本体および前記マドラーの前記収容部を、密封するための、初期開封シールを形成したことを特徴とするから、異なる内容物をそれぞれ密封した状態で保存、輸送、販売することが可能である。
【００１６】
そして、前記マドラーの内容物をアルコールとし、前記カップ本体の内容物が水分を含むものとすることにより、前記複合カップを冷凍した際に、前記カップ本体の内容物のみを凍らせることを特徴とするから、前記マドラー内部の内容物と、前記カップ本体の内容物とを、それぞれ凝固点の異なる内容物とすることにより、冷凍庫等で保管した場合に、内容物の形態をそれぞれ異ならせることが可能である。例えば、マドラー内部の内容物をアルコール度数の高いウィスキーとし、カップ本体の内容物を天然水として、複合カップを冷凍することにより、前記カップ本体の天然水が氷を形成するため、簡単に、ウィスキーオンザロックなどを作製することが可能である。さらには、輸送方法として前記複合カップを凍らせた状態でのチルド輸送等の必要がなく、常温による通常輸送を行い輸送先（例えば販売店舗）等の冷蔵庫で冷凍することが可能である。
【発明を実施するための最良の形態】
【００１７】
本発明に係るカップＡの一例としては、図１に示すように、樹脂成型品からなる複合カップＡ（カップＡ）であって、該カップＡは、カップ本体１と、該カップ本体１の底部分に嵌合自在に形成された取り外し可能なマドラー３と、からなり、複合カップＡを形成している。
【００１８】
特に、カップＡの収容部分が、図１（ａ）に示すように、カップ本体１とマドラー３との間の空間からなるカップ本体１の収容部Ｂと、前記マドラー３の内部に形成された収容部Ｃと、の異なる複数の収容部Ｂ、Ｃを有しており、異なる内容物をそれぞれの収容部Ｂ、Ｃへと収容することが可能である。
【００１９】
そして、カップＡの使用時において、図１（ｂ）に示すように、マドラー３を取り外すことにより、前記収容部Ｂと収容部Ｃとが合わされ１つの新たな収容部Ｄが形成されるとともに、該収容部Ｄにおいて、それぞれの内容物を混合して混合物を作製することが可能であり、さらには、マドラー３を用いて混合物を混ぜ合わせることが可能である。
【００２０】
これにより、例えば、カップ本体１の収容部Ｂには液体を、マドラー３の収容部Ｃには異種の液体や固体若しくは粉体など、目的に応じてカップ本体１の収容部Ｂとマドラーの収容部Ｃとに収容する内容物を別けることが可能であり、使用時において、前記マドラー３を取り外すとともにマドラー３を用いてこれらを簡単に混合することが可能である。
【００２１】
以下に、本発明の複合カップＡを構成する、前記カップ本体１および前記マドラー３についてそれぞれ説明する。
【００２２】
まず、前記カップ本体１は、詳しくは、図２に示すように、カップ本体１の側面１２の上方部分には平らな形状からなるフランジ１１を有し、前記側面１２の下方部分には、脚部１３が延設されている。
そして、該脚部１３の上方からは、水平面からなる底部分１５が形成され、該底部分１５の中央には、窪みの内側にネジ溝１８を有する嵌合部１９が形成されている。
また、前記側面１２の内側には、複数個のカップ本体を積み重ねることが可能な、段差部分からなるスタックリブ１６を有している。
【００２３】
次に、前記マドラー３は、図３に示すように、筒状部材からなる心棒３２と、該心棒３２の側面部分より放射状に四方向へと形成された板状の羽根部材３５とからなり、前記心棒３２の上方には、複数の円盤状部材からなる持ち手３１が形成され、前記心棒３２の下方には、ネジ山３８を有する嵌合部３９が形成されている。
【００２４】
前記羽根部材３５の形状は、前記カップ本体１の内部形状に沿った形状を有しており、カップ本体１へとマドラー３が収容された状態では、羽根部材３５が隔壁を形成するため、カップ本体１の内部をさらに４つの収容部分に区切ることが可能である。また、前記カップ本体の内側に形成された前記スタックリブ１６に対応して、羽根部材の一部に段部３６が形成されている。
前記羽根部材３５は、剛性のある板状でも、フレキシブルなフィルム状のものでもよく、羽根部材３５の材質は特に限定されるものではない。
【００２５】
そして、心棒３２の内部は、筒状の空洞空間からなる収容部Ｃを有しており、心棒３２の下方に形成された嵌合部３９と、前記カップ本体１の底部分１５に形成された嵌合部１９とが、互いに嵌合することにより、図４に示すように、マドラー３の嵌合部３９が遮断されて、マドラー内部に略筒状の収容部Ｃを形成することが可能である。
よって、カップ本体１の前記収容部Ｂに収容される内容物と、マドラー３の前記収容部Ｃに収容される内容物とが、互いに接することがなく、複合カップＡの複数の収容部Ｂ、Ｃへと、それぞれ異なる内容物を収容することが可能である。
【００２６】
このように、カップ本体１の底部１５に形成された嵌合部１９と、前記マドラー３の嵌合部３９とが、互いに嵌合することにより、図５（ａ）に示すように、２つの異なる収容部Ｂ、Ｃが形成され、さらには、カップＡの使用時において、図５（ｂ）に示すように、マドラー３を回転させて、嵌合部１９，３９のネジ嵌合を開放することにより、マドラーの収容部Ｃを閉塞する嵌合部３９が開放されて、カップ本体１に１つの収容部Ｄを形成するとともに、それぞれの内容物が混ぜ合わされることとなる。
【００２７】
このように、本発明の複合カップＡは、カップ本体１とマドラー３との間に形成されたカップ本体１の収容部Ｂと、前記マドラー３内部に形成された収容部Ｃとの、異なる複数の収容部Ｂ、Ｃを、複合カップＡに形成することが可能である。よって、前記マドラー３と、前記カップ本体１とに、異なる内容物をそれぞれ別個に保管することが可能であり、複合カップＡの使用時において、異なる内容物を混合して、１の混合物を容易に形成することが可能である。
【００２８】
また、図６に示すように、マドラー３の持ち手３１をつかみ、マドラーを回転させることにより、前記混合物を混ぜ合わせることが可能であり、持ち手３１の円盤部材を大きく形成することにより、力を加えてマドラー３を回動させることができるため、少ない力で以って簡単にマドラー３を回動させて取り外すことが可能であるとともに、内容物を簡単に混ぜ合わせることが可能である。なお、前記持ち手３１は、円盤部材に限らず、例えば、図６点線枠内に示すように、ローレットキャップのような形状であってもよく、持ち手の形状は特に限定されるものではない。
【００２９】
以下に、本発明の複合カップＡを用いた使用例として、図７に示すような、ウィスキーオンザロックを作製する方法を説明する。
【００３０】
（使用例）
前記カップ本体１の収容部Ｂへと天然水を充填し、前記マドラー３内部の収容部Ｃへとウィスキーを充填する。そして、カップ本体１のフランジ部分１１に初期開封フィルムＨを形成して、本発明の複合カップＡを形成する。
【００３１】
このとき、カップ本体１のフランジ面１１と、マドラー３の持ち手面３１との高さを合わせて同一面とすることにより、１つの初期開封フィルムＨで、異なる収容部Ｂ、Ｃを同時に密封することが可能である。
【００３２】
そして、このようにして形成した複合カップＡを、冷凍庫や冷凍ショーケースにて保管或いは陳列することにより、前記カップ本体１の天然水が氷Ｒを形成し、他方、前記マドラー内部のウィスキーＷはアルコール度数が高いため凍ることなく、液体の状態を維持することが可能である。
【００３３】
よって、消費者が商品Ａ（複合カップＡ）を購入後、商品Ａの使用時において、図７（ａ）に示すように、カップ本体１の初期開封フィルムＨを除去した後、マドラー３を回転させてマドラー３を取り外し、ウィスキーＷと氷Ｒとを混ぜ合わせることにより、図７（ｂ）に示すように、ウィスキーＷと氷Ｒとが混合されたウィスキーオンザロックＷＲを簡単に作ることが可能である。
【００３４】
特に、マドラー３に形成された複数の羽根部材３５により、氷Ｒを分割した状態で複数形成することが可能である。そして、氷Ｒを分割して形成することにより、氷Ｒの表面積が増大する効果があり、使用時において氷Ｒがすばやく融けて内容物と混ざりやすい効果がある。さらには、氷Ｒを複数に分割することで、羽根状部材３５と氷Ｒとの間に隙間が形成されるため、ウィスキーＷが前記隙間へと浸透して氷Ｒと混ざりやすい効果がある。
【００３５】
以上のように、本発明の複合カップＡは、カップ本体１とマドラー３とを嵌合してなる簡単な構成により、複合カップＡに異なる内容物を収容することが可能であり、カップＡの使用時において、前記異なる内容物を混ぜ合わせて、好みの内容物をその場で簡単に作ることが可能である。
【００３６】
特に、水とアルコールなどのそれぞれ凝固点の異なる内容物を組合せることにより、氷とウィスキーなどの別々の内容物から、ウィスキーオンザロック等の混合物を簡単に形成することが可能である。
【００３７】
さらには、マドラー３の羽根部材３５がカップ本体１の内部へと密着して隔壁を形成することにより、複数個（４個）のロックアイス（氷）を形成することが可能であり、さらにマドラー３を回転させて氷を融かすことにより、ハーフロック（ハーフ＆ハーフ）や、水割りなどの好みに応じたものをその場で作ることが可能である。
【００３８】
本発明の複合カップＡは、前記マドラー３内部の収容部Ｃ（マドラー内部Ｃ）の内容物をアルコールとし、前記カップ本体１の収容部Ｂ（カップ本体Ｂ）の内容物が水分を含むものとすることにより、前記複合カップＡを冷凍した際に、前記カップ本体Ｂの内容物のみを凍らせることが可能である。以下に、前記マドラー内部Ｃの内容物を各種アルコールとし、前記カップ本体Ｂの内容物を蒸留水とした場合の一例を実験例とともに示す。
【００３９】
（実験例１）
まず、前記マドラー内部Ｃの内容物（使用サンプル）として、アルコール度数のそれぞれ異なる（アルコール度数１０〜４０％）２００ｍｌの特級エタノール（和光社製）を用い、チルド輸送せず通常輸送した後、家庭の冷凍庫において１５時間程度保管した場合の各種サンプル（１〜５）の変化を以下表１に示す。前記複合容器Ａの大きさは、底径６０ｍｍφ×口径７０ｍｍφ×高さ８０ｍｍとした。
【表１】
0005101941.tif 000002
【００４０】
（実験例２）
次に、前記マドラー内部Ｃの内容物（使用サンプル）を、アルコール度数１３〜１４％の各種酒類（老酒、日本酒、杏酒）とし、チルド輸送せず通常輸送した後、家庭の冷凍庫において１５時間程度保管した。
【表２】
0005101941.tif 000003
【００４１】
このように、前記マドラー内部Ｃの内容物として、アルコール度数が１４％以上の酒類である場合、１５時間程度冷凍してもマドラー内部Ｃの内容物が液体の状態を維持することが可能であることがわかった。しかしながら、複合容器Ａを冷凍する際の、冷凍温度や冷凍時間等の各種条件によっては、マドラー内部Ｃの内容物を液体の状態とすることが可能であり、カップ本体Ｂの蒸留水のみを凍らせることが可能であれば、前記マドラー内部Ｃの内容物の酒類やアルコール度数は、特に限定されるものではない。
【００４２】
このように、本発明の複合カップＡは、異なる内容物を一つのカップ１に収容して、使用時において、異なる内容物から一つの混合物を形成することが可能であるから、ウィスキーオンザロックに限らず、例えば、梅酒や各種フレーバーのリキュール類と、ジュースや炭酸等の清涼飲料との組合せにより、使用時に、消費者が簡単にカクテルを作ることが可能であり、さらには、好みに応じてアルコールの分量を調節することできるから、新しいスタイルでの商品の提供が可能となり、消費者に斬新さと楽しみを与えることが可能である。また、焼酎とウーロン茶や、焼酎と梅干、さらには、カクテルと果物や、お茶とおつまみの組合せなど、様々なバリエーションの組合せとしてもよく、複合カップＡの使用形態は特に限定されるものではない。
【００４３】
また、前記マドラー内部Ｃの内容物をアルコールとし、前記カップ本体Ｂの内容物が水分を含むものとすることにより、前記複合カップＡを冷凍した際に、前記カップ本体Ｂの内容物のみを凍らせることが可能である。よって、マドラー内部Ｃの内容物をアルコール度数の高いウィスキーとし、カップ本体Ｂの内容物を天然水として、複合カップＡを冷凍することにより、前記カップ本体Ｂの天然水が氷を形成するため、簡単に、ウィスキーオンザロックなどを作製することが可能である。
【００４４】
このように、本発明の複合カップＡは、異なる内容物を一つのカップ１に収容して、使用時において、異なる内容物から一つの混合物を形成することが可能であるから、ウィスキーオンザロックに限らず、例えば、梅酒や各種フレーバーのリキュール類と、ジュースや炭酸等の清涼飲料との組合せにより、使用時に、消費者が簡単にカクテルを作ることが可能であり、さらには、好みに応じてアルコールの分量を調節することできるから、今までにない新しいスタイルでの商品の提供が可能となり、消費者に斬新さと楽しみを与えることが可能である。
【００４５】
前記複合カップＡの内容物としては、焼酎とウーロン茶や、焼酎と梅干、さらには、カクテルと果物や、お茶とおつまみの組合せなど、様々なバリエーションの組合せとしてもよく、複合カップＡの使用形態は特に限定されるものではない。
【００４６】
また、前記カップ本体１および前記マドラー３の材質としては、上記例に限定されるものではなく、例えば、高級感を出すためにガラス等を用いて形成しても良い。また、マドラーとカップ本体との嵌合方法は、上記例で示したネジ嵌合に限らず、はめ込み式やスライド式などであってもよく、マドラー内部３の収容部Ｃと、カップ本体１の収容部Ｂとが隔離される構成であれば、嵌合方法は特に限定されるものではない。
【００４７】
前記カップ本体１や、前記マドラー３の材質としては、例えば、ポリエチレン（ＰＥ）、ポリプロピレン（ＰＰ）、ポリスチレン（ＰＳ）、アクリロニトリル・ブタジエン・スチレン共重合樹脂（ＡＢＳ樹脂）、ポリ塩化ビニル（ＰＶＣ）、ポリアミド、ポリカーボネート（ＰＣ）、そして、ポリエチレンテレフタレート（ＰＥＴ）やポリブチレンテレフタレート（ＰＢＴ）などのポリエステルなどが、汎用樹脂として好ましく使用でき、さらには、ＬＬＤＰＥ、ＬＤＰＥ、ＨＤＰＥなどのポリオレフィン系樹脂や、エンジニアリングプラスチックに分類される樹脂を使用してもよい。これらの樹脂は単独で用いてもよいが、複数をブレンドして用いることも可能である。さらに、バリア層を含む多層構造として用いることも可能である。また、樹脂のブレンド以外に、アルミ層やバリア性樹脂を用いた多層構造としてバリア性能を作り出してもよく、上記方法に限られるものではない。
【図面の簡単な説明】
【００４８】
【図１】本発明の複合カップの一例を示す図である。  （ａ）複合カップを示す図である。  （ｂ）マドラーを取り外した場合を示す図である。
【図２】カップ本体を示す一部切断説明図である。
【図３】マドラーを示す一部切断説明図である。
【図４】複合カップの内部を示す一部切断説明図である。
【図５】複合カップの内部を示す一部切断説明図である。  （ａ）複合カップを示す一部切断説明図である。  （ｂ）マドラーを取り外した場合を示す一部切断説明図である。
【図６】複合カップの使用例を示す説明図である。
【図７】（ａ）（ｂ）複合カップの使用例を示す説明図である。
【符号の説明】
【００４９】
１  カップ本体
１１  フランジ
１２  側面
１３  脚部
１５  底部分
１６  段部
１８  ネジ溝
１９  嵌合部（カップ本体の嵌合部）
３  マドラー
３１  つまみ部
３２  心棒
３５  羽根部材
３６  段部
３８  ネジ山
３９  嵌合部（マドラーの嵌合部）
Ａ  複合カップ
Ｂ  カップ本体の収容部 （カップ本体）
Ｃ  マドラー内部の収容部（マドラー内部）
Ｈ  初期開封シール
Ｒ  氷
Ｗ  アルコール類（ウィスキー）
【図１】
0005101941.tif 000004
【図２】
0005101941.tif 000005
【図３】
0005101941.tif 000006
【図４】
0005101941.tif 000007
【図５】
0005101941.tif 000008
【図６】
0005101941.tif 000009
【図７】
0005101941.tif 000010